(57)【要約】【課題】駐車場に設置される発券機であって、その機能を高度化することなく、駐車場管理のために必要な人的リソースを削減することが可能なものを提供する。【解決手段】発券機に、駐車票８０を印刷して発行するプリンタと、そのプリンタによって発行された駐車票の枚数の累積値に関連する発行枚数関連量を検出する検出部と、その検出された発行枚数関連量を表す実データを、予め設定された暗号化テーブルを参照することにより、ユーザが解読することができない暗号データ２００に変換する暗号化部とを設ける。プリンタは、少なくとも暗号データ２００を駐車票に印刷する。ユーザが駐車票上の暗号データ２００を、通信機器を介して、遠隔地にいる駐車場管理者に対して送信すれば、その駐車場管理者は、受信した暗号データを解読することにより、遠隔地にいながらにして、プリンタの保守の要否を判断することが可能である。【選択図】図７
2014071808.tif 000002
【特許請求の範囲】
【請求項１】
駐車場を利用するユーザに対して駐車票を発行するために前記駐車場に設置される発券機であって、
前記駐車票を印刷して発行するプリンタと、
そのプリンタによって発行された駐車票の枚数の累積値である発行枚数またはその発行枚数に応じて変化する物理量である発行枚数関連量を検出する検出部と、
その検出された発行枚数関連量を表す実データを、予め設定された暗号化テーブルを参照することにより、ユーザが解読することができない暗号データに変換する暗号化部と
を含み、
前記プリンタは、前記実データおよび前記暗号データのうち少なくとも前記暗号データを前記駐車票に印刷し、
ユーザが前記駐車票上の前記暗号データを、通信機器を介して、遠隔地にいる駐車場管理者に対して送信すれば、その駐車場管理者は、暗号解読器を用いることにより、受信した暗号データを解読して前記実データを復元し、それにより、前記駐車場管理者は、遠隔地にいながらにして、前記プリンタの保守の要否を判断することが可能である駐車場用発券機。
【請求項２】
前記プリンタは、
未使用の連続シートが巻き付けられるローラであって、そのローラが回転すると、そのローラに巻き付けられている連続シートのうち、先頭の部分が前記ローラから巻き剥がされるものと、
前記連続シートをそれの幅方向に完全に切断するかまたは部分的に切断するカッタであって、前記巻き剥がされた部分に対し、当該プリンタが前記駐車票１枚綴り分または所定複数枚綴り分の印刷を終了すると、ユーザが、その印刷部分を残りの未使用部分から切り離す作業を容易にするための切断線を前記連続シートに形成するものと
を含み、
前記検出部は、前記ローラに巻き付けられている連続シートが、いずれの部分も未使用である新品連続シートに交換された時期からの、前記プリンタが印刷した駐車票の枚数の累積値をカウントする枚数カウンタを含む請求項１に記載の駐車場用発券機。
【発明の詳細な説明】
【技術分野】
【０００１】
本発明は、駐車場に設置される発券機に関する。
【背景技術】
【０００２】
本出願人の先願である特願２０１１−２５９２９５号に係る特許文献１には、駐車場に設置される発券機であって、その駐車場の管理コストおよび設備コストを低減することが容易であるものの一従来例が開示されている。
【０００３】
この従来例は、プリンタを有する発券機に関する。その発券機においては、駐車料金の支払いまたは駐車時間に関する日時と金額と駐車時間の長さとのうちの少なくとも一つを表す実データであってユーザが直接的に解読可能であるものが、予め設定された暗号化テーブルを参照することにより、ユーザが解読することはできないが一義的に発音することはできる暗号データに変換される。それら実データおよび暗号データが、プリンタにより、駐車券または領収書（以下、それらを「駐車票」と総称する）に印刷される。
【０００４】
この発券機によれば、ユーザが、前記駐車票上の前記暗号データを読み上げて発した音声を、通信機器を介して、遠隔地にいる駐車場管理者に対して送信することが可能となる。その駐車場管理者は、受信したユーザの音声から前記暗号データを解読して前記実データを復元することが可能である。なぜなら、その暗号データと前記実データとの間に１対１の関係があり、暗号データから実データを復元可能であるからである。
【０００５】
したがって、この発券機によれば、当該発券機が、駐車場管理者の通信機器との間で通信を行う機能を有することなく、遠隔地にいる駐車場管理者が、駐車料金の支払いまたは駐車時間に関する日時と金額と駐車時間の長さとのうちの少なくとも一つに関する真実を、ユーザによって意図的に歪められることなく、確認することが可能となる。
【先行技術文献】
【特許文献】
【０００６】
【特許文献１】特開２０１２−１８１８１８号公報
【発明の概要】
【発明が解決しようとする課題】
【０００７】
従来、プリンタを用いる発券機においては、そのプリンタによって印刷されるべき用紙が不足したら、駐車場管理者が作業者を当該発券機が設置されている駐車場に派遣するという作業と、その作業者が当該発券機に対して用紙の補充を行うという作業とが必要である。
【０００８】
しかし、当該発券機が、用紙不足に関する情報を前記駐車場管理者に自動的に送信するための通信機構を有しない場合には、用紙不足が実際に発生しているか否かを問わず、用紙不足の有無を判断するために作業者を駐車場に派遣させざるを得ない。
【０００９】
この場合、派遣された作業者は、駐車場において、例えば、発券機に取り付けられている表示器の画面上の情報であって用紙の不足の有無を表すものを目視することにより、用紙が不足しているか否かを判断する。作業者は、用紙が不足していれば新しい用紙を補充し、不足していけなれば補充を行わない。
【００１０】
このように、従来の発券機であって通信機能を有しないものを用いる場合には、作業者が現場に出向かない限り、発券機における用紙不足の有無を判断することができない。そのため、従来の発券機であって通信機能を有しないものを用いる場合には、用紙不足が発生していないにもかかわらず、作業者が無駄に駐車場に派遣されてしまい、駐車場管理のために必要な人的リソースの無駄が発生することを避け得なかった。
【００１１】
この問題は、駐車場管理者が発券機の作動状態を遠隔的に監視することを目的として発券機が駐車場管理者に情報を自動的に送信することを可能にするために発券機に通信機能を追加するなどして、発券機を高機能化すれば、解決することが可能である。しかし、その場合には、駐車場の設備コストが増加するという新たな問題が招来される。
【００１２】
したがって、駐車場管理者においては、駐車場の設備コストが増加することを回避しつつ、駐車場管理のために必要な人的リソースを削減したいという要望があった。
【００１３】
以上の知見を背景にして、本発明は、駐車場に設置される発券機であって、その機能を高度化することなく、駐車場管理のために必要な人的リソースを削減することが可能なものを提供することを課題としてなされたものである。
【課題を解決するための手段】
【００１４】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１５】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００１６】
（１）  駐車場を利用するユーザに対して駐車票を発行するために前記駐車場に設置される発券機であって、
前記駐車票を印刷して発行するプリンタと、
そのプリンタによって発行された駐車票の枚数の累積値である発行枚数またはその発行枚数に応じて変化する物理量である発行枚数関連量を検出する検出部と、
その検出された発行枚数関連量を表す実データを、予め設定された暗号化テーブルを参照することにより、ユーザが解読することができない暗号データに変換する暗号化部と
を含み、
前記プリンタは、前記実データおよび前記暗号データのうち少なくとも前記暗号データを前記駐車票に印刷し、
ユーザが前記駐車票上の前記暗号データを、通信機器を介して、遠隔地にいる駐車場管理者に対して送信すれば、その駐車場管理者は、暗号解読器を用いることにより、受信した暗号データを解読して前記実データを復元し、それにより、前記駐車場管理者は、遠隔地にいながらにして、前記プリンタの保守の要否を判断することが可能である駐車場用発券機。
【００１７】
この発券機によれば、それのプリンタによって発行された駐車票の枚数の累積値である発行枚数またはその発行枚数に応じて変化する物理量である発行枚数関連量が検出される。その検出された発行枚数関連量を表す実データが、予め設定された暗号化テーブルを参照することにより、ユーザが解読することができない暗号データに変換される。それら実データおよび暗号データのうち少なくとも暗号データが、プリンタにより、前記駐車票に印刷される。
【００１８】
ユーザが前記駐車票上の前記暗号データを、通信機器（例えば、ユーザが利用可能な携帯電話機、固定電話機、公衆電話機のように、当該発券機に設置されていない通信機器）を介して、遠隔地にいる駐車場管理者に対して送信すれば、その駐車場管理者は、暗号解読器を用いることにより、受信した暗号データを解読して前記実データを復元することが可能である。
【００１９】
したがって、この発券機によれば、プリンタの保守の要否を判断するために駐車場管理者が必要な情報が、駐車場のユーザが受領する駐車票に印刷され、その情報は、ユーザにより、通信機器を関して駐車場管理者に送信されるため、駐車場管理者は、遠隔地にいながらにして、プリンタの保守の要否を判断することが可能である。
【００２０】
よって、この発券機によれば、駐車場のユーザが駐車場管理業務の一部を無意識のうちに担当することを可能にすることにより、駐車場管理のために必要な人的リソースの無駄を省略することが容易となる。
【００２１】
この項において「駐車場」は、常駐している管理者の有無に関し、有人駐車場であるか無人駐車場であるかを問わず、また、駐車料金の支払いの有無に関し、有料駐車場であるか無料駐車場であるかを問わず、また、有料駐車場である場合に、駐車料金の支払い方法に関し、前払い式であるか後払い式であるかを問わず、また、契約の形式として、日貸しであるか時間貸しであるか月極めであるか１月より長期にわたる契約であるかを問わない。
【００２２】
また、この項において「ユーザから駐車場管理者への送信」は、例えば、該当する暗号をユーザが発音することによって生成されるユーザの音声（例えば、電話での通話、音声認識機能を搭載したスマートホンや携帯情報端末への音声入力）を媒介とする送信であっても、通信機器を用いてユーザが手入力で作成した電子メッセージを媒介とする送信であっても、それら以外の媒介による送信でもよい。
【００２３】
また、本明細書の全体を通じて、「駐車票」なる用語は、駐車場に設置された発券機によって発行される小片（スリップ）をすべて含み、例えば、駐車券、領収書を含むが、それらに限定されない。
【００２４】
（２）  前記プリンタは、
未使用の連続シートが巻き付けられるローラであって、そのローラが回転すると、そのローラに巻き付けられている連続シートのうち、先頭の部分が前記ローラから巻き剥がされるものと、
前記連続シートをそれの幅方向に完全に切断するかまたは部分的に切断するカッタであって、前記巻き剥がされた部分に対し、当該プリンタが前記駐車票１枚綴り分または所定複数枚綴り分の印刷を終了すると、ユーザが、その印刷部分を残りの未使用部分から切り離す作業を容易にするための切断線を前記連続シートに形成するものと
を含み、
前記検出部は、前記ローラに巻き付けられている連続シートが、いずれの部分も未使用である新品連続シートに交換された時期からの、前記プリンタが印刷した駐車票の枚数の累積値をカウントする枚数カウンタを含む（１）項に記載の駐車場用発券機。
【図面の簡単な説明】
【００２５】
【図１】図１は、本発明の例示的な一実施形態に従う発券機が設置された無人駐車場の一例を示す平面図である。
【図２】図２は、図１に示す発券機を示す正面図である。
【図３】図３は、図２に示す発券機を、扉が開いている状態で示す斜視図である。
【図４】図４は、図２に示す発券機の部品構成を示すブロック図である。
【図５】図５は、図４に示すコンピュータによって実行される発券・精算プログラムを概念的に表すフローチャートである。
【図６】図６（ａ）−（ｄ）は、図２に示す表示器の画面上に表示される複数の画像を示す正面図である。
【図７】図７（ａ）は、図２に示す発券機により、前払い駐車料金の支払い後に発行される駐車券および領収書の一例を示す正面図であり、図７（ｂ）は、図２に示す発券機により、追加駐車料金の支払い後に発行される領収書の一例を示す正面図である。
【図８】図８（ａ）は、図７（ａ）に示す駐車券を、発行直後の状態で示す縦断面図であり、図８（ｂ）は、その駐車券を、一部が剥がされて折り曲げられた状態で示す縦断面図である。
【図９】図９（ａ）は、図７（ａ）に示す駐車券を、駐車車両のフロントガラスの裏面に貼り付けられた状態で示す側面断面図であり、図９（ｂ）は、その駐車券を、それの表示シートの一部がセパレータから剥がされて折り曲げられた状態で示す斜視図である。
【図１０】図１０は、図７（ａ）に示す駐車券が駐車車両のフロントガラスの裏面に貼り付けられている様子を示す斜視図である。
【図１１】図１１（ａ）−（ｆ）は、図７（ａ）および（ｂ）にそれぞれ示す領収書に印刷される暗号データの一例の構成、それに対応する実データ、および実データから暗号データへの変換工程を説明するための図である。
【図１２】図１２は、図７（ａ）および（ｂ）にそれぞれ示す領収書に印刷される暗号データをユーザが、自分の携帯電話機を用いて、遠隔地にいる駐車場管理者に通信する様子と、その駐車場管理者が、受信した暗号データを実データに変換する様子とを説明するための斜視図である。
【図１３】図１３は、図４に示すコンピュータによって実行される現在時刻暗号化プログラムを概念的に表すフローチャートである。
【発明を実施するための形態】
【００２６】
以下、本発明の例示的な一実施形態に従う駐車場用発券機２０を図面に基づいて詳細に説明する。
【００２７】
図１には、その発券機２０が設置されて使用される駐車場１０が平面図で示されている。その駐車場１０は、複数台の自動車の同時駐車を可能にする複数の駐車位置（駐車スペース）を有する。この駐車場１０の唯一の入出庫口１２（入庫口でもあるし出庫口でもある）の近傍位置に、１台の発券機（一般には、「精算機」ともいう。）２０が、複数の駐車位置に共通に、集中発券機として設置されている。この駐車場１０は、専従者がおらず、運転者であるユーザが駐車料金の支払いを発券機２０に対して行う無人式である。
【００２８】
なお、「車両」なる用語の定義について付言するに、この「発明を実施するための形態」の欄においては、「車両」なる用語は、自動車のみを意味するが、本明細書の他の箇所においては、「車両」なる用語は、自動車のみならず、自転車、自動二輪車等、あらゆる種類の移動体を包含する用語として解釈すべきである。
【００２９】
駐車場１０の敷地には、２種類の駐車区画が存在する。それは、各車両のユーザに対し、１時間単位で駐車スペースを貸し出すための区画（一時預り区画または日貸し用区画）と、各車両のユーザに対し、事前の契約を前提に、１月単位で駐車スペースを貸し出すための区画（月極用区画）とである。発券機２０は、一時預り区画について使用される。以下、単に「駐車場１０」というときには、この駐車場１０のうち、一時預り区画、すなわち、発券機２０が使用されるエリアのみを意味する。
【００３０】
駐車場１０を利用するために、ユーザである運転者は、自己の車両を運転して、隣接道路から入出庫口１２に進入し、引き続いて運転して発券機２０を素通りし、さらに、自己の車両を、自身で選択したいずれかの駐車スペース（駐車位置）まで運転してそこに駐車する。その後、ユーザは、自己の車両から降りて、入出庫口１２にある発券機２０まで歩いていき、そこで駐車料金を発券機２０に対して支払う。
【００３１】
図２には、発券機２０が正面図で示されており、図３には、発券機２０を、扉２４が開いている状態で斜視図で示されており、図４には、発券機２０の部品構成がブロック図で示されている。図５は、図４に示す制御基板３４内のコンピュータ１００によって実行される発券・精算プログラムが概念的にフローチャートで表されている。図６（ａ）−（ｄ）には、図２に示す表示器３６の画面上に表示される複数の画像が正面図で示されている。
【００３２】
ユーザは、駐車料金の支払いと引き換えに、図７（ａ）および図８に示す駐車券８０を発券機２０から受け取る。その後、ユーザは、その駐車券８０を、図９および図１０に示すように、自己の車両のフロントガラス１１０の裏面に貼り付ける。その駐車券８０は、駐車車両の室内に置かれるため、雨風に曝されることはないし、紛失することもない。
【００３３】
駐車場１０は、複数の駐車位置を有する前払い式の無人駐車場であって、車両の出庫を阻止する（駐車場１０からの退出を阻止する）ための装置（例えば、出庫ゲート装置や、輪止め装置（例えば、フラップ式や、出没式））を有せず、かつ、ユーザが前記複数の駐車位置のうちのいずれかを自由に選んで自己の車両を駐車することが可能である（選択された駐車位置は、発券機２０によって監視されない）。このように構成された駐車場１０について発券機２０が使用される。
【００３４】
ここで、発券機２０をさらに具体的に説明する。この発券機２０は、料金精算機能は有するが釣銭機能（釣銭を計算してユーザに支払う機能）も通信機能も有しない。
【００３５】
また、この発券機２０は、ユーザが駐車料金を紙幣ではなく硬貨のみで支払うことを要求する。この発券機２０は、紙幣を扱わないため、紙幣を扱う場合に発生し易い問題、例えば、紙幣投入時の紙幣詰まり、投入された紙幣の真偽を判別する偽札判別機能の追加、投入されて金庫３２内に保管されている紙幣が盗難される危険性の発生、釣銭機能の追加、釣銭および投入された紙幣を保管するスペースの確保に起因する発券機２０の大型化などの問題が発生せずに済む。
【００３６】
また、この発券機２０は、ユーザに対し、ユーザ識別番号の入力も、ユーザの車両についての車両識別情報（例えば、車両番号）の入力も、複数の駐車位置のうちユーザが選択するものの特定も、要求しない。
【００３７】
発券機２０は、図２に示すように、発券ボタン７０と、料金精算ボタン７４とを有する。発券機２０は、ユーザが、駐車開始に先立ち、前払い駐車料金を支払った後に発券ボタン７０を押すと、駐車が許可されたことを示す駐車券８０（図７（ａ）参照）と、前払い駐車料金の精算が済んだことを示す領収書８１ａ（図７（ａ）参照）とを、２枚綴りで発行する発券機能を有する。発券機２０は、さらに、ユーザが、駐車終了後、追加駐車料金を支払った後に料金精算ボタン７４を押すと、追加駐車料金の精算が済んだことを示す領収書８１ｂ（図７（ｂ）参照）を発行する料金精算機能を有する。
【００３８】
本実施形態においては、前払い駐車料金の支払い後に発行される２枚綴りの駐車票は、駐車券８０と領収書８１ａの２枚綴りであるが、ユーザは、それら駐車券８０と領収書８１ａを互いに分離し、駐車券８０のみ、駐車車両内に置いておき、領収書８１ａは、携帯することが可能である。領収書８１ａには、後述のように、有効駐車時間（ユーザによる駐車が許可された時間帯）の終了時刻が印刷されており、ユーザが、駐車車両から離れた場所においていつでも有効駐車時間の終了時刻を参照できるようにするために、この領収書８１ａをユーザが携帯することが便利である。
【００３９】
図３に示すように、この発券機２０は、縦長で箱状を成すケーシング２２に扉２４がそれの一側辺において開閉可能に取り付けられて構成されている。扉２４とケーシング２２との間にロック機構があり、権限ある者しか使用できない固有のキーをそのロック機構のシリンダに差し込んで操作することにより、扉２４の開錠および施錠が行われる。図３には、この発券機２０の内部構成が、扉２４が開いている状態で、斜視図で示されている。図４には、この発券機２０の部品構成がブロック図で示されている。
【００４０】
図３に示すように、この発券機２０は、硬貨処理ユニット３０と、金庫３２と、制御基板３４と、表示器３６と、リセットボタン３７（図４参照）と、駐車券８０および領収書８１ａ，８１ｂを印刷して発行するプリンタ４０と、枚数カウンタ４１（図４参照）とを有するように構成されている。それら部品のうち、硬貨処理ユニット３０のみが、扉２４の背面に取り付けられ、残りの部品は、ケーシング２２の内部に取り付けられている。
【００４１】
図３に示すように、プリンタ４０には、印刷前の連続シートが巻き付けられて収容されるローラ４２が作業者によって着脱可能に装着されている。プリンタ４０は、そのローラ４２から送り込まれる連続シートに対して印刷を行う。プリンタ４０は、その印刷終了後、連続シートを随時、カッタ（図示しない）によってカットしてその連続シートから、前払い駐車料金の支払い後には駐車券８０と領収書８１ａとの２枚綴り、追加駐車料金の支払い後には１枚分の領収書８１ｂを切り離す。ただし、２枚綴りである駐車券８０と領収書８１ａとの間に、図７（ａ）に示すように、切取り線８９が形成されており、ユーザは、その切取り線８９に沿って、それら駐車券８０と領収書８１ａを簡単に互いに切り離すことが可能である。
【００４２】
前記カッタは、切刃（図示しない）を有し、その切刃を連続シートの幅方向に移動させて連続シートを幅方向に切断する。また、前記カッタは、連続シートを幅方向に完全に切断する方式を採用したり、幅方向における一部のみ残して連続シートを幅方向に切断する方式を採用することが可能である。
【００４３】
枚数カウンタ４１は、プリンタ４０が印刷した駐車券８０、領収書８１ａおよび８１ｂ（それらは、形態上、プリンタ４０から排出されるスリップという点で互いに共通するため、以下、それらを集合的に「複数の駐車票」と称する）の枚数の累積値をカウントするために、プリンタ４０から排出される連続シートの経路上に、その連続シートの背後に非接触状態で設置されている。
【００４４】
連続シートの裏面には、各駐車票ごとに、他の領域とは反射率が異なる領域、例えば、低反射率領域（例えば、白い駐車票の裏面に対して黒い横線）が、例えば印刷により、１つずつ局部的に形成されている。枚数カウンタ４１は、発光部４１ａと受光部４１ｂとを有する。発光部４１ａは、光を連続的にかつ局部的に連続シートの裏面に向けて発光し、一方、受光部４１ｂは、発光部４１ａが発光した光のうち、連続シートで反射した部分を受光する。低反射率領域からの反射光は弱く、他の領域からの反射光は強い。受光部４１ｂは、受光した光の強さに応じた信号を出力する。制御基板３４内のコンピュータ１００は、受光部４１ｂが受光した光の強さの時間的変化の有無から、各駐車票の低反射率領域が受光部４１ｂを通過したか否かを認識することができる。
【００４５】
コンピュータ１００は、ローラ４２に巻き付けられる１ロール分の新品の連続シートから生成できる駐車票の枚数を残り枚数の初期値（例えば、２４４０）として制御基板３４内のメモリ１０４に予め記憶している。コンピュータ１００は、受光部４１ｂの出力信号に基づき、受光部４１ｂが前記低反射率領域を通過したことを検出するごとに、残り枚数の現在値を１ずつ減算する。その結果、残り枚数の現在値は、ローラ４２上に残っている未使用駐車票の枚数を反映する。残り枚数の現在値は、その値へのその後のアクセスに備えてメモリ１０４に保存される。
【００４６】
コンピュータ１００は、さらに、その残り枚数が所定値（例えば、２００）未満であるか否か、すなわち、現在のローラ４２を、１ロール分の新品の連続シートが巻き付けられている別のローラ４２に交換するタイミングが到来したか否かを判定し、その結果を、図７に例示するように、プリンタ４０を介して各駐車票ごとに、後述の暗号化残り枚数２００として印刷する。
【００４７】
作業者は、現在のローラ４２を、１ロール分の新品の連続シートが巻き付けられている別のローラ４２に交換したら、発券機２０内に設置されているリセットボタン３８を押す。リセットボタン３８が押されたことをコンピュータ１００が検知すると、コンピュータ１００は、メモリ１０４において残り枚数の現在値を初期値に更新する。これにより、残り枚数の現在値が、連続シートが新品に交換された直後であることを反映することが可能となる。
【００４８】
要するに、本実施形態においては、枚数カウンタ４１と、コンピュータ１００のうち、受光部４１ｂの出力信号に基づいて残り枚数を計算する部分とが互いに共同して、「プリンタによって発行された駐車票の枚数の累積値である発行枚数またはその発行枚数に応じて変化する物理量である発行枚数関連量を検出する検出部」の一例を構成しており、また、残り枚数が、その「発行枚数関連量」の一例を構成しているのである。
【００４９】
本実施形態においては、用紙カウンタ４１の受光部４１ａの出力信号が、印刷された駐車票の枚数のカウントするという用途のみならず、前記カッタの切断位置に対する各駐車票の停止位置を調整するという用途にも使用される。受光部４１ａの出力信号から、各駐車票の送り方向位置を検出することが可能であるからである。
【００５０】
図２および図４に示すように、硬貨処理ユニット３０は、硬貨投入口５０と、返却レバー５２と、硬貨セレクタ（投入された硬貨の種類の判別と、投入された硬貨が偽造硬貨でないか否かの判別とを行う）５４と、硬貨返却口５６とを有する。投入された硬貨のうち、硬貨返却口５６からユーザに返却されなかったものは、金庫３２に収容される。図４に示すように、硬貨セレクタ５４に制御基板３４がデータ通信可能に接続されており、その制御基板３４は、硬貨セレクタ５４から、投入された硬貨の種類（硬貨の単位と、偽造硬貨であるか否かの情報とを含む）と枚数を表す信号を受信する。
【００５１】
図２に示すように、扉２４の前面には、表示器３６（例えば、液晶ディスプレイ）の画面からの表示光が透過する透過窓６０と、硬貨投入口５０、返却レバー５２および硬貨返却口５６と、プリンタ４０によって印刷されて排出される駐車券８０および領収書８１ａ，８１ｂを排出するための排出口６４とが配置されている。透過窓６０は、外部から表示器３６への物理的な直接アクセスを阻止することによって表示器３６を機械的に保護する機能も有する。
【００５２】
発券機２０は、さらに、ユーザが前払い駐車料金を支払った後に押される前述の発券ボタン７０と、ユーザが追加駐車料金を支払った後に押される前述の料金精算ボタン７４とを有するように構成されている。それら発券ボタン７０および料金精算ボタン７４は、図２に示すように、発券機２０の扉２４の前面に装着されている。それら発券ボタン７０および料金精算ボタン７４は、図４に示すように、制御基板３４に電気的に接続されている。
【００５３】
それら発券ボタン７０および料金精算ボタン７４は、いずれも、実在する物理的なスイッチとして構成されているが、これに限定されず、例えば、表示器３６の画面上に表示される仮想的なスイッチ（例えば、ボタン、キー、アイコン）として構成してもよい。
【００５４】
制御基板３４は、コンピュータ１００を主体として構成されている。この制御基板３４は、時計１０２を内蔵しており、常に現在日時（例えば、発券ボタン７０が押された日時、料金精算ボタン７４が押された日時）を取得可能となっている。この制御基板３４は、さらに、メモリ１０４を内蔵している。そのメモリ１０４には、後述の暗号化テーブルが、権限を有する者のみが書き換え可能である状態で保存されている。
【００５５】
なお付言するに、制御基板３４は、コンピュータ１００と同じ機能をシーケンサ（シーケンス制御）によって実現する形式とすることが可能である。
【００５６】
図５に示す発券・精算プログラムがコンピュータ１００によって実行されると、まず、ステップＳ１において、図６（ａ）に示す初期画面が表示器３６の画面上に表示される。この際、暗号化時刻２０２も表示器３６の画面上に表示される。
【００５７】
次に、ステップＳ２において、硬貨セレクタ５４からの信号に基づき、ユーザによる硬貨の投入があったか否かが判定される。硬貨が未投入であると、ステップＳ２に戻るが、硬貨の投入があると、ステップＳ３において、それまでにユーザが投入した硬貨の合計金額が投入金額として計算される。
【００５８】
続いて、ステップＳ４において、その計算された投入金額から、その投入金額に見合った駐車時間が駐車時間（今回支払われた駐車料金が前払い駐車料金である場合には、有効駐車時間を意味する一方、今回支払われた駐車料金が追加駐車料金である場合には、延長駐車時間を意味する）として計算される。投入金額と駐車時間の長さとの関係、すなわち、時間単位の料金設定は、コンピュータ１００にとって既知であるから、コンピュータ１００は、その料金設定に従い、投入金額から駐車時間を計算することができる。料金設定については、例えば、駐車場管理者が、表示器３６のタッチパネルを操作することにより、各時間単位で個別に入力することが可能である。
【００５９】
上記料金設定の一例によれば、連続駐車時間が２時間までは３００円、４時間までは４００円であり、６時間までは５００円、１２時間までは１０００円、２４時間までは１５００円である。この例の料金設定のもとでは、例えば、図７に示す例のように、ユーザが４００円を前払い駐車料金として支払うと、コンピュータ１００は、４時間を有効駐車時間として計算することになる。また、ユーザが３００円を追加駐車料金として支払うと、２時間を延長駐車時間として計算することになる。
【００６０】
その後、ステップＳ５において、図６（ｂ）に示す硬貨投入中画面が表示器３６の画面上に表示される。このとき、前記計算された投入金額および駐車時間（有効駐車時間または延長駐車時間）の長さが表示される。
【００６１】
続いて、ステップＳ６において、発券ボタン７０が押されたか否かが判定される。発券ボタン７０が未だ押されていない場合には、ステップＳ７において、料金精算ボタン７４が押されたか否かが判定される。料金精算ボタン７４も未だ押されていない場合には、ステップＳ２に戻る。
【００６２】
硬貨投入開始後、発券ボタン７０と料金精算ボタン７４とのいずれかが押されるまで、ステップＳ２−Ｓ７の実行が反復される。その結果、ユーザが硬貨を硬貨投入口５０に投入するごとに、投入開始時から現時点までにユーザが投入した硬貨の合計金額を投入金額として計算することと、その計算された投入金額から、その投入金額に見合った駐車時間を計算することと、前記計算された投入金額および駐車時間（有効駐車時間または延長駐車時間）を表示器３６の画面上に表示することとが行われる。
【００６３】
発券ボタン７０が押されると、ステップＳ８において、図６（ｃ）に示す駐車券／領収書発行画面が表示器３６の画面上に表示される。このとき、ユーザによる発券ボタン７０の操作によって確定された駐車料金の額が、前払い駐車料金の額として表示される。この場合には、先行するステップＳ４において計算された駐車時間は、有効駐車時間を意味することになる。
【００６４】
続いて、ステップＳ９において、入庫時刻および有効駐車時間の暗号化と、残り枚数の暗号化と、投入金額の暗号化とが行われる。
【００６５】
１．入庫時刻および有効駐車時間の暗号化
【００６６】
ユーザが駐車場１０に入庫した入庫時刻（またはユーザが前払い駐車料金を支払った日時、駐車券８０を発券した時刻、駐車時間の開始時刻など）および前記有効駐車時間の長さ（またはユーザが支払った前払い駐車料金の額など）を表す実データであってユーザが直接的に解読可能であるものが、前記暗号化テーブルを参照することにより、ユーザが解読することはできないが一義的に発音することはできる暗号データ１３０に変換される。暗号化が行われるのであり、これにより、暗号データ１３０が作成される。
【００６７】
本実施形態においては、暗号データ１３０が、図１１（ａ）に示すように、一列に並んだ９桁（それより多い桁数としても、それより少ない桁数としてもよい。）の記号で定義されている。各桁の記号は、例えば、０から９までの１０個の数字と複数のアルファベットとのうちのいずれかとして選択される。その複数桁の記号は、複数のグループに分割されて領収書８１ａ上に印刷され、隣接するグループ同士がハイフンでつながれており、これにより、ユーザは、複数桁の記号を、一息で一気に発音するのではなく、いくつかの区切りを入れて、より楽にかつ正確に発音できるようになっている。
【００６８】
実データの一般的な構成の一例（実データの桁数削減のため、西暦の表記を省略した）は、図１１（ｂ）に示すように、「ＭＭ月ＤＤ日のｈｈ時ｍｍ分に入庫し、有効駐車時間の長さは、ＴＴ時間である。」というデータである。この実データは、図１１（ｃ）に示すように、月を表す数字ＭＭと、日を表す数字ＤＤと、時刻のうちの時間を表す数字ｈｈと、時刻のうちの分を表す数字ｍｍと、駐車時間（該当する領収書が前払い用である場合には、有効駐車時間を意味する一方、該当する領収書が追加駐車料金用である場合には、延長駐車時間を意味する）の長さを表す数字ＴＴという、５つの要素を有している。
【００６９】
前記暗号化テーブルは、図１１（ｃ）に示すように、月を表す数字ＭＭを暗号化するために参照される月単位暗号化テーブルと、日を表す数字ＤＤを暗号化するために参照される日単位暗号化テーブルと、時刻のうちの時間を表す数字ｈｈを暗号化するために参照される時間単位暗号化テーブルと、時刻のうちの分を表す数字ｍｍを暗号化するために参照される分単位暗号化テーブルと、駐車時間の長さを表す数字ＴＴを暗号化するために参照される時間用暗号化テーブルとを有する。上述の５つの要素は、それぞれ、対応する暗号化テーブルを参照することにより、暗号化され、それにより、９桁の暗号データ１３０が作成される。
【００７０】
要するに、暗号データ１３０は、入庫時刻が暗号化されたデータと、有効駐車時間の長さが暗号化されたデータとを有しているのである。
【００７１】
本実施形態においては、暗号化テーブルが、毎日、更新されるが、２４時間より長い期間が経過するごとに更新する方式（同じ期間内においては、暗号化テーブルは更新されない）を採用したり、２４時間より長い期間を１周期として、同じ周期内においては、毎日、暗号化テーブルを更新する方式（ある周期内の期間と、別の周期内の期間との間では、暗号化テーブルが日々更新されるパターンが共通する）を採用することが可能である。
【００７２】
一例においては、メモリ１０４において、暗号化テーブルが毎日更新される場合に、一月分の暗号化テーブルである暗号化テーブルセットが一月ごとに更新される。この場合、暗号化テーブルセットは、例えば、毎月、管理者が駐車場１０に出向くごとに、管理者によって更新される。
【００７３】
また、一例においては、前述の５つの要素ＭＭ，ＤＤ，ｈｈ，ｍｍおよびＴＴのそれぞれにつき、暗号化テーブルにおける実データと暗号化データとの関係、すなわち、暗号化前の数字（例えば、「２月」を表す「２」）と暗号化後の符号との間の対応関係が、暗号化前の各数字ごとに乱数を発生させ、その乱数を暗号化後の符号として採用することにより、生成される。
【００７４】
２．残り枚数の暗号化
【００７５】
前記残り枚数の暗号化のため、図５に示すステップＳ９においては、まず、前記残り枚数がメモリ１０４から読み出され、続いて、その読み出された残り枚数が所定値（例えば、２００）未満であるか否か、すなわち、現在のローラ４２を、１ロール分の新品の連続シートが巻き付けられている別のローラ４２に交換するタイミングが到来したか否かが判定される。その判定結果を表す情報が、図１１（ｄ）に例示するように、枚数用暗号テーブルであってメモリ１０４に予め保存されているものに従い、前述の暗号データ１３０と同様にして、暗号化残り枚数２００（例えば、２桁の数字または記号として表現される）として暗号化される。
【００７６】
暗号化残り枚数２００は、駐車場１０のユーザがこれから行うかまたは既に行った駐車の内容とは無関係な情報であるが、そのユーザによってアクセスされる情報である。暗号化残り枚数２００は、上述のように、駐車場１０のユーザによって所有される駐車票上に印刷されるが、ユーザが解読することができない暗号である。暗号化残り枚数２００は、そのユーザの、通信機器（例えば、携帯電話機、スマートホン、携帯情報端末、公衆電話機など）を介した操作により、図１２に示す管理センタに送信される。
【００７７】
したがって、管理センタは、遠隔地に居ながらにして、あたかも駐車場１０に居るかのごとく、連続シートの残り枚数の不足、ひいては、作業者を駐車場１０に派遣して現在のローラ４２を、新品の連続シートが巻き付けられている新品のローラ４２に交換させる作業を作業者に指示することが可能となる。
【００７８】
３．投入金額の暗号化
【００７９】
コンピュータ１００は、ユーザが、少なくとも１種類の硬貨を少なくとも１枚、発券機２０に投入した後、発券ボタン７０を押すと、硬貨の投入開始時から発券ボタン７０が押下された時期までに投入された硬貨の金額の合計値を今回のユーザの投入金額として計算し、その投入金額を表すデータをメモリ１０４に保存する。
【００８０】
前記投入金額の暗号化のため、図５に示すステップＳ９においては、前記投入金額がメモリ１０４から読み出され、その投入金額が、図１１（ｆ）に例示するように、金額用暗号テーブルであってメモリ１０４に予め保存されているものに従い、前述の暗号データ１３０と同様にして、暗号化される。この例においては、その暗号化された情報である暗号化投入金額２０４が、４桁の数字または記号として表現される。
【００８１】
図５に示すステップＳ９において暗号化が終了すると、ステップＳ１０において、駐車券８０および領収書８１ａがプリンタ４０によって印刷されて発行される。領収書８１ａには、図７（ａ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１３０との双方として印刷されるのである。
【００８２】
さらに、領収書８１ａには、図７（ａ）に示すように、暗号化残り枚数２００が、それの実際の残り枚数を表す実データを伴うことなく単独で印刷され、さらに、暗号化投入金額２０４が、実際の投入金額を表す実データと一緒に印刷される。以上で、この発券・精算プログラムの今回の実行が終了する。
【００８３】
具体的には、図７（ａ）に示すように、駐車券８０には、ユーザが支払った前払い駐車料金の額に見合った有効駐車時間の終了時刻と、駐車場１０の場所を特定するための表示とが印刷される。また、領収書８１ａには、入庫時刻と、ユーザが支払った前払い駐車料金の額と、前記有効駐車時間の終了時刻と、駐車場１０の場所を特定するための表示とが印刷される。領収書８１ａには、さらに、「ＡＢＣ−ＤＥＦ−ＡＢＣ」で例示された暗号データ１３０も併せて印刷される。この暗号データ１３０は、図１１（ｂ）に文章化して示すように、前記入庫時刻（これは、前払い駐車料金を支払った時刻とも、駐車時間の開始時刻とも、駐車券８０および領収書８１ａが発券された時刻とも等価である。）と前記有効駐車時間の長さ（これは、支払った前払い駐車料金の額と等価である。）とを表す実データが暗号化されたものである。領収書８１ａには、さらに、暗号化残り枚数２００および暗号化投入金額２０４も印刷される。
【００８４】
これに対し、発券ボタン７０に代えて料金精算ボタン７４が押されると、ステップＳ１１において、図６（ｄ）に示す精算領収書発行画面が表示器３６の画面上に表示される。このとき、ユーザによる料金精算ボタン７４の操作によって確定された駐車料金の額が、追加駐車料金の額として表示される。この場合には、先行するステップＳ４において計算された駐車時間は、延長駐車時間を意味することになる。
【００８５】
続いて、ステップＳ１２において、ステップＳ９と同様にして、ユーザが追加駐車料金を支払ったために領収書８１ｂが発券された時刻（これは、追加駐車料金を支払った時刻と等価である。）と前記延長駐車時間の長さ（これは、支払った追加駐車料金の額と等価である。）とを表す実データが、前記暗号化テーブルを参照することにより、暗号データ１４０に変換される。このステップＳ１２においては、さらに、ステップＳ９と同様にして、残り枚数の暗号化と、追加駐車料金の暗号化とが行われる。
【００８６】
その後、ステップＳ１３において、領収書８１ｂがプリンタ４０によって印刷されて発行される。領収書８１ｂには、図７（ｂ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１４０との双方として印刷されるのである。領収書８１ａには、さらに、暗号化残り枚数２００および追加駐車料金が暗号化された暗号化投入金額２０４も印刷される。以上で、この発券・精算プログラムの今回の実行が終了する。
【００８７】
具体的には、図７（ｂ）に示すように、領収書８１ｂには、領収書８１ｂが発券された日時と、前記追加駐車料金の額と、駐車場１０の場所を特定するための表示とが印刷される。
【００８８】
さらに、領収書８１ｂには、「１２３−４５６−７８９」で例示された暗号データ１４０も併せて印刷される。この暗号データ１４０は、領収書８１ｂが発券された日時と前記延長駐車時間の長さとを表す実データが暗号化されたものである。領収書８１ｂには、さらに、暗号化残り枚数２００および暗号化投入金額２０４も印刷される。
【００８９】
図７（ａ）には、駐車券８０および領収書８１ａの２枚綴りが正面図で示される一方、図７（ｂ）には、領収書８１ｂが正面図で示されている。駐車券８０および領収書８１ａの２枚綴りは、駐車券８０の２枚分に相当し、その２枚綴りにおいては、駐車券８０と領収書８１ａとは、サイズも構成も、互いに共通する。また、領収書８１ｂは、駐車券８０の１枚分に相当し、駐車券８０に対し、サイズも構成も共通する。以下、説明を簡単にするために、駐車券８０の構成のみを代表的に説明する。
【００９０】
駐車券８０は、表層としての表示シート（印刷用紙）８２と、中間層としての粘着層８３（糊の層）と、裏層としてのセパレータ（分離シート、剥離紙）８４とがそれらの順に積層されて構成されている。粘着層８３は、表示シート８２の裏面に、容易には剥離しないように、塗布されており、表示シート８２をセパレータ８４の表面から剥がした状態では、粘着層８３の糊は、セパレータ８４の表面には付着しない。
【００９１】
図７（ａ）に示すように、１枚分の駐車券８０においては、表示シート８２の外周が、セパレータ８４の外周より内側に位置するようになっている。ローラ４２に巻き付けられる原反は、連続したセパレータ８４に、隙間を隔てて一列に並んだ複数枚の表示シート８２（空白の状態）が接着されて構成されている。
【００９２】
プリンタ４０における連続シート（連続したセパレータ８４）は、前記カッタにより切断され、その切断は、表示シート８２間の隙間の位置において行われ、表示シート８２に対する切断は行われない。一方、セパレータ８４のうち、表示シート８２間の隙間において露出する部分の表面には糊が付着していない。
【００９３】
したがって、本実施形態によれば、連続シートの切断時に、前記切刃に粘着層８３の糊が付着せずに済み、一日に１回または数回、現場に派遣される管理者（例えば、サービス担当者、複数の駐車場を巡回して作業する作業者、見回りの監視員）による前記カッタのメンテナンスの頻度が減少し、ひいては、管理者にかかる人件費が低減される。
【００９４】
ただし、本実施形態においては、領収書８１ｂについては、前記カッタにより、セパレータ８４が１枚分の長さで完全に切断されるのに対し、前記２枚綴りについては、セパレータ８４が２枚分の長さで完全に切断される。ただし、前述のように、前記２枚綴りについては、図７（ａ）に示すように、前記カッタにより、セパレータ８４が、駐車券８０と領収書８１ａとの間において、部分的に切断され、それにより、切取り線８９が形成される。
【００９５】
図７（ａ）に示すように、駐車券８０の表示シート８２には、さらに、「駐車券」という文字列のすぐ上方に、両端を有する（閉じていない）切断線９０が存在する。その切断線９０は、ユーザが、表示シート８２のうちの一部を、残りの部分はセパレータ８４に接着されたままで、セパレータ８４から剥がすことを可能にするために存在する。図８（ｂ）に示すように、ユーザが、表示シート８２の一部（切断線９０によって包囲される領域）をセパレータ８４から剥がして、切断線９０の両端をつなぐ直線に沿って折り曲げると、その結果形成される折曲げ部９２の表面（粘着層８３のうち、その折曲げ部９２の裏面に塗布されている部分）が、糊面として露出する。図９（ａ）には、その折曲げ部９２が斜視図で示されている。
【００９６】
本実施形態においては、ユーザによる駐車が不正駐車ではないことを証明するために、ユーザは、硬貨投入と引き換えに受領した駐車券８０を、図９（ｂ）に示すように、駐車車両のフロントガラス１１０の裏面に貼付することを要求される。そのため、ユーザは、図９（ａ）に示すように、駐車券８０のうちの指定箇所（切断線９０によって包囲された領域であって、最終的に折曲げ部９２となる部分）を局部的に剥がして折り曲げたうえで、その折曲げ部９２の表面を、図９（ｂ）に示すように、駐車車両のフロントガラス１１０の裏面に貼付する。これにより、図１０に示すように、駐車券８０の内容（特に、ユーザに対して許可された駐車時間帯の終了時刻を特定するための情報と、この駐車券８０が有効である駐車場１０の場所を特定するための表示）を、外部からいつでも目視することが可能となる。
【００９７】
ユーザは、実際に駐車した時間が前記有効駐車時間を超過した場合には、追加駐車料金を支払うことを要求される。しかし、駐車場１０は、前述のように、無人式であり、かつ、必要な追加駐車料金を支払わない限り駐車車両の出庫を阻止する装置を有しないため、図１２に示すように、ユーザは、必要な追加駐車料金を支払った事実を、駐車場１０、車内、自宅などの場所から、携帯電話機や固定電話機などの通信機器により、遠隔地にある管理センタに居る駐車場管理者に通知することを要求される。
【００９８】
この際、ユーザは、入庫時に発行された領収書８１ａに印刷されている暗号データ１３０と、出庫時に発行された領収書８１ｂに印刷されている暗号データ１４０と、暗号化残り枚数２００と、暗号化投入金額２０４とを読み上げて音声を発し、その音声を、上記通信機器により、駐車場管理者に送信することを要求される。
【００９９】
前記管理センタに居る駐車場管理者は、ユーザが発した、暗号データ１３０，１４０、暗号化残り枚数２００および暗号化投入金額２０４をそれぞれ表す音声を受信すると、暗号解読器１８０の入力装置（例えば、キーボード、タッチスクリーン、マウスなど）を操作して、ユーザの音声に対応する記号を入力する。暗号データ１３０，１４０、暗号化残り枚数２００および暗号化投入金額２０４を入力するのであり、すると、暗号解読器１８０は、その入力された暗号データ１３０，１４０、暗号化残り枚数２００および暗号化投入金額２０４を、前記暗号化テーブルに適合する暗号解読テーブルであって暗号解読器１８０に搭載されたものに従い、実データに復元する。
【０１００】
これにより、駐車場管理者は、管理対象である駐車場１０から場所的に離れた前記管理センタに居ながらにして、ユーザが実際に駐車していた時間である実際駐車時間の長さ（例えば、暗号データ１３０により特定される入庫時刻から、暗号データ１４０により特定される、追加駐車料金を支払った時刻までの経過時間の長さ）を知ることができる。
【０１０１】
さらに、駐車場管理者は、ユーザが支払った駐車料金の合計額（例えば、暗号データ１３０により推定されるか、または暗号化投入金額２０４から分かる前払い駐車料金の額と、暗号データ１４０により推定されるか、または暗号化投入金額２０４から分かる追加駐車料金の額との和）を知ることもでき、ひいては、その駐車料金の合計額が、前記実際駐車時間の長さとの関係で不足していないか否かを正しく判断することができる。
【０１０２】
暗号解読器１８０に収容されている暗号解読テーブルは、駐車場管理者といえども、権限を有しない限り、知ることができないようになっているため、暗号解読テーブルに対するセキュリティが高い。
【０１０３】
さらに、駐車場管理者は、暗号化残り枚数２００から、残り枚数が不足しているか否かに関する情報を、ユーザによる意図的なデータ操作の影響を受けることなく、取得することが可能である。さらに、ユーザには、駐車票上において暗号化残り枚数２００を表現する部分（例えば、複数桁の数字やアルファベットの列）が残り枚数に関する情報であることを知らされないため、駐車場管理者は、ユーザが自身の駐車という行為とは直接関係しない情報をも駐車場管理者に報告することを要求されているという事実に起因した不快感をユーザに与えることなく、ユーザから情報を取得することが可能である。
【０１０４】
前述のように、本実施形態においては、図７に例示するように、ユーザが発券機２０に対して実際に支払った駐車料金（前払い駐車料金および追加駐車料金の双方を含む広義の概念）の額、すなわち、ユーザが発券機２０に投入した投入金額が、入庫時刻および有効駐車時間と同様に、実データとしてのみならず、暗号データすなわち暗号化投入金額２０４としても、駐車票に印刷される。
【０１０５】
具体的には、駐車票に駐車料金の実データと投入金額の暗号データとが一緒に印刷され、それら駐車料金の額と投入金額とは、通常は、互いに一致するが、後述のように、互いに一致しない場合がある。
【０１０６】
発券機２０は、前述のように、図５に示すステップＳ４において、実際の投入金額を基準に、有効駐車時間の長さが決定される。例えば、前述の料金設定の例に従えば、ユーザが５００円を投入し、その後に発券ボタン７０を押すと、発券機２０は、有効駐車時間の長さについての複数の候補値（以下、「有効駐車時間候補値」という）の中から、投入金額にちょうど一致する駐車料金に対応する６時間の有効駐車時間を指定していると認識し、６時間分の駐車料金をユーザに対して請求する。この場合、投入金額と駐車料金の額とが互いに一致する。
【０１０７】
これに対し、同じ料金設定のもと、ユーザが６００円を投入し、その後に発券ボタン７０を押すと、発券機２０は、前記複数の有効駐車時間候補値の中に、その投入金額にちょうど対応する駐車料金に対応するものが存在しないため、その駐車料金に最も近く、かつ、その駐車料金を超えない別の駐車料金に対応する候補有効駐車時間、すなわち、５００円分の有効駐車時間を自動的に選択する。この場合、駐車票には、駐車料金が５００円として印刷されるとともに、６時間分の有効駐車時間も印刷されるが、投入金額が６００円であったことは印刷されない。この場合、投入金額と駐車料金の額とが互いに一致せず、具体的には、投入金額が、許可された有効駐車時間の長さに見合った駐車料金の額を超えている。
【０１０８】
このように、投入金額が駐車料金を超えていた場合、ユーザは、駐車場１０からの出庫時に、駐車場管理者に対し、「入庫時に誤って６００円分の硬貨を発券機２０に投入し、１００円を余分に支払った。したがって、駐車場管理者は１００円を釣銭としてユーザに返還すべきである。」との返金請求を行う可能性がある。
【０１０９】
このとき、駐車場管理者は、そのユーザの主張が真実であるのか虚偽であるのかを判断することが必要となる。なぜなら、駐車料金が５００円であったためにユーザが５００円をちょうど支払ったにもかかわらず、「６００円分の硬貨を投入したのに、１００円の釣銭が出なかった」と駐車場管理者に虚偽の主張をする可能性があるからである。一方、発券機２０は、ユーザが発券機２０に実際に投入した金額をそのユーザに関連付けて駐車場管理者に通信する機能も有していない。
【０１１０】
これに対し、本実施形態においては、駐車場管理者が、返金請求を行うユーザに対し、駐車票に印刷されている暗号であって、駐車場管理者は、その暗号が暗号化投入金額２０４であることを知っているが、ユーザはそのことを知らないものを駐車場管理者に対して送信することを要求する。駐車場管理者は、ユーザから受信した暗号化投入金額２０４を暗号解読器１８０を用いて解読し、その結果、ユーザが実際に発券機２０に投入した硬貨の合計額（真正な投入金額）を推定することが可能である。よって、駐車場管理者は、ユーザの返金請求が妥当であるか否かを、遠隔地にいながらにして、正しく判断することが可能となり、真実を根拠に返金を請求しているユーザを誤って疑わずに済む。
【０１１１】
ところで、本実施形態においては、暗号データ１３０，１４０（暗号化入庫時刻および暗号化有効駐車時間を含む）、暗号化残り枚数２００および暗号化投入金額２０４が、ユーザの音声（例えば、電話での通話、音声認識機能を搭載したスマートホンや携帯情報端末への音声入力）を媒介として前記管理センタに送信されるようになっているため、ユーザが解読することができない暗号であるのみならず、ユーザが一義的に発音することができる暗号であるように生成される。
【０１１２】
本発明の別の例示的な実施形態においては、暗号データ１３０，１４０、暗号化残り枚数２００および暗号化投入金額２０４が、ユーザが手入力で作成した電子メッセージを媒介として前記管理センタに送信される。この場合には、それら暗号は、ユーザによって発音されることが不要であるため、ユーザが解読することができない暗号であれば足り、ユーザが一義的に発音することができる暗号であることは不要である。
【０１１３】
＜現在時刻の暗号化および表示＞
【０１１４】
本実施形態においては、さらに、現在時刻も暗号化され、その暗号化時刻２０２は、駐車票に印刷されるのではなく、表示器３６の画面上に表示される。
【０１１５】
具体的には、コンピュータ１００は、時計１０２を用いて取得した現在時刻（実データ）を、図１１（ｅ）に例示するように、現在時刻用暗号テーブルであってメモリ１０４に予め保存されているものに従い、暗号化する。コンピュータ１００は、さらに、その暗号化された現在時刻（暗号データ）を暗号化時刻２０２として、図６に示すように、表示器３６の画面上に表示する。
【０１１６】
暗号化時刻２０２は、駐車場１０に来た作業者がこれから行うかまたは既に行った作業の内容とは直接関係しない情報であるが、その作業者によってアクセスされる情報である。暗号化時刻２０２は、上述のように、表示器３６の画面上に表示されるが、作業者が解読することができない暗号である。暗号化時刻２０２は、その作業者の、通信機器（例えば、携帯電話機、スマートホン、携帯情報端末、公衆電話機など）を介した操作により、図１２に示す管理センタに送信される。
【０１１７】
暗号化時刻２０２の送信のために作業者が行うべき操作が、作業者の手入力で作成した電子メッセージを前記管理センタに伝送するための通信機器の操作であって、作業者が暗号化時刻２０２を発音することが不要である場合には、暗号化時刻２０２は、作業者が解読することができない暗号であれば足り、作業者が一義的に発音することができる暗号であることは不要である。
【０１１８】
これに対し、暗号化時刻２０２の送信のために作業者が行うべき操作が、作業者の音声で作成したメッセージを前記管理センタに伝送するための通信機器の操作（例えば、電話での通話、音声認識機能を搭載したスマートホンや携帯情報端末への音声入力）であって、作業者が暗号化時刻２０２を発音することが必要である場合には、暗号化時刻２０２は、作業者が解読することができない暗号であるのみならず、作業者が一義的に発音することができる暗号であることも必要である。
【０１１９】
コンピュータ１００は、その暗号化時刻２０２を常時、表示器３６の画面上に表示してもよいが、暗号化時刻２０２は、駐車場１０のユーザによってアクセスされるべき情報ではなく、駐車場１０に来た作業者によってアクセスされるべき情報であるため、少なくとも図６（ａ）に示す初期画面（すなわち、ユーザによる駐車のための操作の開始前に常時、表示器３６の画面上に表示されている画面イメージ）上に表示すれば足りる。
【０１２０】
コンピュータ１００は、その暗号化時刻２０２を、所定の更新時間周期が経過するごとに、更新する。その更新時間周期は、例えば、２４時間としたり、２４時間より短い時間としたり、２４時間より長い時間としたり、１時間としたり、１時間より長い時間としたり、１時間より短い時間とすることが可能である。
【０１２１】
暗号化時刻２０２は、発券機２０の点検や、不正駐車車両の発見・警告などの作業を行うために駐車場１０に来た作業者によってアクセスされる情報である。作業者は、表示器３６の画面上の暗号化時刻２０２を見ると、その暗号化時刻２０２を、通信機器（例えば、自身の携帯電話機、スマートホン、携帯情報端末、公衆電話機など）を介して、図１２に示す管理センタに送信する。
【０１２２】
その管理センタ内の駐車場管理者は、前記送信された暗号化時刻２０２（暗号データ）を、前記現在時刻用暗号化テーブルに適合する暗号解読テーブルを有する暗号解読器１８０を用いて解読し、その解読された現在時刻（実データへの復元）の、実際の現在時刻（真正な現在時刻）からの隔たりが許容範囲内にあるか否かをリアルタイムで判断し、それにより、駐車場管理者は、遠隔地にいながらにして、その作業者が現在、実際に駐車場１０に居るか否かを判断することが可能である。
【０１２３】
作業者は、駐車場１０に実際に行かない限り、暗号化時刻２０２を取得することができない。これにより、作業者は、駐車場１０に実際に行かない限り、現在、駐車場１０に居ることを駐車場管理者に対して証明することができない。
【０１２４】
作業者は、１日数回、同じ発券機２０を点検したり、毎日、同じ発券機２０を点検するというように、点検を行う主体が毎回同一である可能性がある。そのため、暗号化時刻２０２の実際の内容と現在時刻の実際の内容との対応関係に変化がないと、暗号化時刻２０２を作業者によって解読されてしまうおそれがある。
【０１２５】
よって、更新時間周期は、そのようなおそれができる限り軽減される長さであるように設定することが望ましい。一方、発券機２０は、外部との通信機能を有しないことから、更新時間周期を短くするほど、メモリ１０４に予め記憶させるべき暗号化テーブルの数が増加し、これは、メモリ１０４の容量増加という問題を生じさせる。
【０１２６】
よって、更新時間周期の長さは、作業者によって暗号を解読されるおそれの増加という問題と、メモリ１０４の容量の増加という問題との間のトレードオフを考慮して設定することが望ましく、例えば、２時間に設定される。
【０１２７】
図１３には、現在時刻を暗号化し、その暗号化時刻２０２を表示器３６の画面上に表示するためにコンピュータ１００によって実行される現在時刻暗号化プログラムが概念的にフローチャートで表されている。
【０１２８】
この現在時刻暗号化プログラムが実行されると、まず、ステップＳ１０１において、時計１０２を用いて現在時刻が計測される。次に、ステップＳ１０２において、その計測された現在時刻が、前記現在時刻用暗号化テーブルを用いることにより、暗号データ、すなわち、暗号化時刻２０２に変換される。続いて、ステップＳ１０３において、その暗号化時刻２０２が、図６に例示するように、表示器３６の画面上に表示される。
【０１２９】
その後、ステップＳ１０４において、カウンタｉの値が０にリセットされ、続いて、ステップＳ１０５において、そのカウンタｉの最大値ｉｍａｘがメモリ１０４から読み込まれる。続いて、ステップＳ１０６において、カウンタｉの現在値が１だけインクリメントされ、その後、ステップＳ１０７において、カウンタｉの現在値が最大値ｉｍａｘより大きいか否かが判定される。
【０１３０】
カウンタｉの現在値が最大値ｉｍａｘより大きくはない場合には、再びステップＳ１０６が実行され、その結果、カウンタｉの現在値が１だけインクリメントされる。それらステップＳ１０６および１０７の実行が何回か繰り返された結果、カウンタｉの現在値が最大値ｉｍａｘより大きくなると、ステップＳ１０１ないしＳ１０３の再度の実行により、表示器３６の画面上においてい暗号化現在時刻２０２が更新される。これは、最大値ｉｍａｘの大きさが暗号化時刻２０２の更新周期の長さを定義していることを意味している。
【０１３１】
以上の説明から明らかなように、本実施形態によれば、領収書８１ａおよび８１ｂを発行する時点で、領収書８１ａおよび８１ｂのそれぞれに、暗号データ１３０（暗号化された入庫時刻）、暗号データ１４０（暗号化された有効駐車時間）、暗号化残り枚数２００および暗号化投入金額２０４から成る１セットの暗号を、ユーザが発音可能である記号で印刷し、さらに、その暗号データ１３０，１４０、暗号化残り枚数２００および暗号化投入金額２０４を音声で駐車場管理者に送信することをユーザに要求するだけで、駐車管理者は、駐車料金の不足の有無を正しく判断できる。よって、ユーザは、大きな負担を課されることなく、前記有効駐車時間を超過した駐車を安心して行うことが可能となり、駐車場１０の使い勝手ひいては稼動率が向上する。
【０１３２】
以上要するに、本実施形態においては、図４に示すコンピュータ１００のうち、図５に示すステップＳ９およびＳ１０並びに図１３に示すステップＳ１０２を実行する部分と、メモリ１０４のうち、複数種類の暗号化テーブルを記憶する部分とが互いに共同して、「暗号化部」の一例を構成しているのである。
【０１３３】
なお付言するに、本実施形態においては、ユーザが、暗号データ１３０および１４０、暗号化残り枚数２００および暗号化投入金額２０４の送信を、音声入力によって行うが、例えば、その音声入力に代えて、データ入力（例えば、実在するかまたは仮想的なキーを用いたキー入力、イメージリーダを用いた画像入力）によって行うことが可能である。
【０１３４】
ところで、駐車場１０に自己の車両を駐車したユーザが、そのときに受領した駐車票に印刷されている各種暗号を前記管理センタに提供する行為を促進するために、いくつかのサービスが提案される。
【０１３５】
その一例は、会員割引サービスである。このサービスにおいては、会員登録を希望する申請者（駐車場１０にとっての潜在的なユーザ）が、通信機器（例えば、自身が携帯している通信機器（例えば、携帯電話機、スマートホン、ＰＤＡ、タブレット型ＰＣなどの携帯情報端末）や、自宅にあるパソコンなどの通信機器、公衆電話機など）を介して、必要な情報を、前記管理センタが管理または運営するサイトまたはそれに関連するサイト（以下、単に「関連サイト」と総称する）に対して送信することにより、入会を申請し、その申請者は、上述のようにして送信した情報が所定の条件を満たせば、会員として登録されるというサービスである。
【０１３６】
このサービスにおいては、さらに、各会員が、駐車場１０の利用の対価として駐車料金を支払った後に、前記管理センタが要求する情報であって、その駐車料金の支払いに付随して会員が取得した駐車票８０，８１ａおよび８１ｂに記載されている複数の暗号１３０，１４０，２００，２０４を、前記通信機器を介して、前記関連サイトに送信することを条件に、会員が支払った駐車料金のうちの少なくとも一部が会員に還元される。
【０１３７】
したがって、会員の視点から見れば、このサービスによれば、会員は、前記管理センタが要求する情報を前記管理センタに提供した行為に対する対価として、駐車料金の割引きという特典を得ることができるという利点を得られる。
【０１３８】
一方、駐車場管理者の視点から見れば、このサービスによれば、会員が、前記管理センタが要求する情報を前記管理センタに提供する行為が促進され、その結果、前記管理センタは、会員にとっては無関係であるが、前記管理センタにとっては重要であるものを、会員の行為を媒介とすることにより、遠隔地にいながらにして取得することが可能となるという利点を得られる。
【０１３９】
以上、本発明のいくつかの実施形態を図面に基づいて詳細に説明したが、これらは例示であり、前記［発明の概要］の欄に記載の態様を始めとして、当業者の知識に基づいて種々の変形、改良を施した他の形態で本発明を実施することが可能である。
【図１】
2014071808.tif 000003
【図２】
2014071808.tif 000004
【図３】
2014071808.tif 000005
【図４】
2014071808.tif 000006
【図５】
2014071808.tif 000007
【図６】
2014071808.tif 000008
【図７】
2014071808.tif 000009
【図８】
2014071808.tif 000010
【図９】
2014071808.tif 000011
【図１０】
2014071808.tif 000012
【図１１】
2014071808.tif 000013
【図１２】
2014071808.tif 000014
【図１３】
2014071808.tif 000015
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
駐車場を遠隔地にある管理センタによって管理する駐車場管理方法であって、
前記駐車場に、前記駐車票を印刷して発行するプリンタと検出部と暗号化部とを有する発券機が設置され、
前記管理センタに暗号解読器が設置され、
当該方法は、
前記検出部により、前記プリンタによって発行された駐車票の枚数の累積値である発行枚数またはその発行枚数に応じて変化する物理量である発行枚数関連量を検出する検出工程と、
前記暗号化部により、前記駐車場のユーザの駐車料金の支払いまたは駐車時間に関する日時と金額と駐車時間の長さとのうちの少なくとも一つを表す第１実データを、前記ユーザが解読することができない第１暗号データに暗号化するとともに、前記検出された発行枚数関連量を表す第２実データを、前記ユーザが解読することができない第２暗号データに暗号化する暗号化工程と、
前記プリンタにより、前記第１実データおよび前記第１暗号データの双方と、前記第２実データおよび前記第２暗号データのうち少なくとも前記第２暗号データとを前記駐車票に印刷する印刷工程と、
前記駐車票上の前記第１および第２暗号データであって前記ユーザから通信機器を介して送信されたものを前記管理センタにおいて受信する受信工程と、
前記暗号解読器により、前記受信した第１および第２暗号データを解読して前記第１および第２実データを復元する解読工程と、
前記管理センタにおいて、その復元された第２実データに基づき、前記プリンタの用紙補充の要否を判定する判定工程と
を含む駐車場管理方法。
【請求項２】
前記プリンタは、
未使用の連続シートが巻き付けられるローラであって、そのローラが回転すると、そのローラに巻き付けられている連続シートのうち、先頭の部分が前記ローラから巻き剥がされるものと、
前記連続シートをそれの幅方向に完全に切断するかまたは部分的に切断するカッタであって、前記巻き剥がされた部分に対し、当該プリンタが前記駐車票１枚綴り分または所定複数枚綴り分の印刷を終了すると、ユーザが、その印刷部分を残りの未使用部分から切り離す作業を容易にするための切断線を前記連続シートに形成するものと
を含み、
前記検出部は、前記ローラに巻き付けられている連続シートが、いずれの部分も未使用である新品連続シートに交換された時期からの、前記プリンタが印刷した駐車票の枚数の累積値をカウントする枚数カウンタを含む請求項１に記載の駐車場管理方法。
【手続補正３】
【補正対象書類名】明細書
【補正対象項目名】０００１
【補正方法】変更
【補正の内容】
【０００１】
本発明は、駐車場に設置される発券機を用いて前記駐車場を管理する技術に関する。
【手続補正４】
【補正対象書類名】明細書
【補正対象項目名】００１３
【補正方法】変更
【補正の内容】
【００１３】
以上の知見を背景にして、本発明は、駐車場に設置される発券機の機能を高度化することなく、駐車場管理のために必要な人的リソースを削減することが可能な駐車場管理方法を提供することを課題としてなされたものである。
【手続補正５】
【補正対象書類名】明細書
【補正対象項目名】００１４
【補正方法】変更
【補正の内容】
【００１４】
その課題を解決するために、本発明の一側面によれば、駐車場を遠隔地にある管理センタによって管理する駐車場管理方法であって、
前記駐車場に、前記駐車票を印刷して発行するプリンタと検出部と暗号化部とを有する発券機が設置され、
前記管理センタに暗号解読器が設置され、
当該方法は、
前記検出部により、前記プリンタによって発行された駐車票の枚数の累積値である発行枚数またはその発行枚数に応じて変化する物理量である発行枚数関連量を検出する検出工程と、
前記暗号化部により、前記駐車場のユーザの駐車料金の支払いまたは駐車時間に関する日時と金額と駐車時間の長さとのうちの少なくとも一つを表す第１実データを、前記ユーザが解読することができない第１暗号データに暗号化するとともに、前記検出された発行枚数関連量を表す第２実データを、前記ユーザが解読することができない第２暗号データに暗号化する暗号化工程と、
前記プリンタにより、前記第１実データおよび前記第１暗号データの双方と、前記第２実データおよび前記第２暗号データのうち少なくとも前記第２暗号データとを前記駐車票に印刷する印刷工程と、
前記駐車票上の前記第１および第２暗号データであって前記ユーザから通信機器を介して送信されたものを前記管理センタにおいて受信する受信工程と、
前記暗号解読器により、前記受信した第１および第２暗号データを解読して前記第１および第２実データを復元する解読工程と、
前記管理センタにおいて、その復元された第２実データに基づき、前記プリンタの用紙補充の要否を判定する判定工程と
を含む駐車場管理方法が提供される。
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【手続補正６】
【補正対象書類名】明細書
【補正対象項目名】００４０
【補正方法】変更
【補正の内容】
【００４０】
図３に示すように、この発券機２０は、硬貨処理ユニット３０と、金庫３２と、制御基板３４と、表示器３６と、リセットボタン３８（図４参照）と、駐車券８０および領収書８１ａ，８１ｂを印刷して発行するプリンタ４０と、枚数カウンタ４１（図４参照）とを有するように構成されている。それら部品のうち、硬貨処理ユニット３０のみが、扉２４の背面に取り付けられ、残りの部品は、ケーシング２２の内部に取り付けられている。
【手続補正７】
【補正対象書類名】明細書
【補正対象項目名】００４９
【補正方法】変更
【補正の内容】
【００４９】
本実施形態においては、枚数カウンタ４１の受光部４１ａの出力信号が、印刷された駐車票の枚数のカウントするという用途のみならず、前記カッタの切断位置に対する各駐車票の停止位置を調整するという用途にも使用される。受光部４１ａの出力信号から、各駐車票の送り方向位置を検出することが可能であるからである。
【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
駐車場を遠隔地にある管理センタによって管理する駐車場管理方法であって、
前記駐車場に、駐車票を印刷して発行するプリンタと検出部と暗号化部とを有する発券機が設置され、
前記管理センタに暗号解読器が設置され、
当該方法は、
前記検出部により、前記プリンタによって発行された駐車票の枚数の累積値である発行枚数またはその発行枚数に応じて変化する物理量である発行枚数関連量を検出する検出工程と、
前記暗号化部により、前記駐車場のユーザの駐車料金の支払いまたは駐車時間に関する日時と金額と駐車時間の長さとのうちの少なくとも一つを表す第１実データを、前記ユーザが解読することができない第１暗号データに暗号化するとともに、前記検出された発行枚数関連量を表す第２実データを、前記ユーザが解読することができない第２暗号データに暗号化する暗号化工程と、
前記プリンタにより、前記第１実データおよび前記第１暗号データの双方と、前記第２実データおよび前記第２暗号データのうち少なくとも前記第２暗号データとを前記駐車票に印刷する印刷工程と、
前記駐車票上の前記第１および第２暗号データであって前記ユーザから通信機器を介して送信されたものを前記管理センタにおいて受信する受信工程と、
前記暗号解読器により、前記受信した第１および第２暗号データを解読して前記第１および第２実データを復元する解読工程と、
前記管理センタにおいて、その復元された第２実データに基づき、前記プリンタの用紙補充の要否を判定する判定工程と
を含む駐車場管理方法。
【請求項２】
前記プリンタは、
未使用の連続シートが巻き付けられるローラであって、そのローラが回転すると、そのローラに巻き付けられている連続シートのうち、先頭の部分が前記ローラから巻き剥がされるものと、
前記連続シートをそれの幅方向に完全に切断するかまたは部分的に切断するカッタであって、前記巻き剥がされた部分に対し、当該プリンタが前記駐車票１枚綴り分または所定複数枚綴り分の印刷を終了すると、ユーザが、その印刷部分を残りの未使用部分から切り離す作業を容易にするための切断線を前記連続シートに形成するものと
を含み、
前記検出部は、前記ローラに巻き付けられている連続シートが、いずれの部分も未使用である新品連続シートに交換された時期からの、前記プリンタが印刷した駐車票の枚数の累積値をカウントする枚数カウンタを含む請求項１に記載の駐車場管理方法。
【手続補正２】
【補正対象書類名】明細書
【補正対象項目名】００１４
【補正方法】変更
【補正の内容】
【００１４】
その課題を解決するために、本発明の一側面によれば、駐車場を遠隔地にある管理センタによって管理する駐車場管理方法であって、
前記駐車場に、駐車票を印刷して発行するプリンタと検出部と暗号化部とを有する発券機が設置され、
前記管理センタに暗号解読器が設置され、
当該方法は、
前記検出部により、前記プリンタによって発行された駐車票の枚数の累積値である発行枚数またはその発行枚数に応じて変化する物理量である発行枚数関連量を検出する検出工程と、
前記暗号化部により、前記駐車場のユーザの駐車料金の支払いまたは駐車時間に関する日時と金額と駐車時間の長さとのうちの少なくとも一つを表す第１実データを、前記ユーザが解読することができない第１暗号データに暗号化するとともに、前記検出された発行枚数関連量を表す第２実データを、前記ユーザが解読することができない第２暗号データに暗号化する暗号化工程と、
前記プリンタにより、前記第１実データおよび前記第１暗号データの双方と、前記第２実データおよび前記第２暗号データのうち少なくとも前記第２暗号データとを前記駐車票に印刷する印刷工程と、
前記駐車票上の前記第１および第２暗号データであって前記ユーザから通信機器を介して送信されたものを前記管理センタにおいて受信する受信工程と、
前記暗号解読器により、前記受信した第１および第２暗号データを解読して前記第１および第２実データを復元する解読工程と、
前記管理センタにおいて、その復元された第２実データに基づき、前記プリンタの用紙補充の要否を判定する判定工程と
を含む駐車場管理方法が提供される。
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。